(57)【要約】      （修正有）【課題】音量、作動温度を発光ダイオードで表示するサウンドイコライザーを備えるノート型コンピューターを提供する。【解決手段】本体及びスクリーン蓋体からなり、本体はさらに、ノート型コンピューターの機能上必要なインプットユニット、アウトプットユニット、パワーサプライユニット、マザーボードを備え、さらにシステムオーディオインプットエンド３、外部オーディオインプットエンド３１、サウンドデコーダ４、アナログ信号スイッチ５、電圧レギュレーター６、プログラマブルコントロールユニット７、発光ダイオードドライバー８、複数の発光ダイオード９を備え、音量、リズムの強弱、中央処理装置１３１の作動温度変化に応じて本体上に設置した複数の発光ダイオード９の輝度、色彩を変化させて表示する。【選択図】図２
0003185949.tif 000002
【実用新案登録請求の範囲】
【請求項１】
サウンドイコライザーを備えるノート型コンピューターにおいて、
本体及びスクリーン蓋体からなり、
該本体と該スクリーン蓋体は、開閉可能に連結し、
該本体は、さらに、ノート型コンピューターとして機能するためのインプットユニット、アウトプットユニット、パワーサプライユニット及びマザーボードを備え、
該インプットユニット、該アウトプットユニット、該パワーサプライユニットと該マザーボードとの間を電気的に接続し、
該マザーボード上には、少なくとも１個の中央処理装置を設置し、
さらに、該ノート型コンピューターは、システムオーディオインプットエンド、外部オーディオインプットエンド、サウンドデコーダ、アナログ信号スイッチ、ＰＷＭ電圧レギュレーター、プログラマブルコントロールユニット、発光ダイオードドライバー、複数の発光ダイオードを備え、
該システムオーディオインプットエンド、該外部オーディオインプットエンド、該サウンドデコーダ、該アナログ信号スイッチ、該ＰＷＭ電圧レギュレーター、該プログラマブルコントロールユニット、該発光ダイオードドライバーと該マザーボードとの間を電気的に接続し、
該複数の発光ダイオードは、該本体上に設置すると共に該ダイオードドライバーとの間を電気的に接続したことを特徴とするサウンドイコライザーを備えるノート型コンピューター。
【請求項２】
前記サウンドデコーダ、アナログ信号スイッチ、ＰＷＭ電圧レギュレーター、プログラマブルコントロールユニット及び発光ダイオードドライバーは、該マザーボード上に統合され、或いは単独で独立した回路板上に設置したことを特徴とする請求項１に記載のサウンドイコライザーを備えるノート型コンピューター。
【請求項３】
前記多数の発光ダイオードは、左、右二組に分けて該本体上に設置したことを特徴とする請求項１に記載のサウンドイコライザーを備えるノート型コンピューター。
【請求項４】
前記多数の発光ダイオードは、該本体上のキーボードとスクリーンとの間に設置したことを特徴とする請求項１に記載のサウンドイコライザーを備えるノート型コンピューター。
【請求項５】
前記プログラマブルコントロールユニットはさらに、ＰＥＣＩインターフェースを通して、該中央処理装置の内部温度を読み取れるようにしたことを特徴とする請求項１に記載のサウンドイコライザーを備えるノート型コンピューター。
【請求項６】
前記プログラマブルコントロールユニットは、それが探知する中央処理装置温度の変化に従い、該発光ダイオードドライバーを通して、左側の発光ダイオード及び右側の発光ダイオードを点灯するか否か、或いは色の変化をコントロールするようにしたことを特徴とする請求項５に記載のサウンドイコライザーを備えるノート型コンピューター。
【考案の詳細な説明】
【技術分野】
【０００１】
本考案はサウンドイコライザーを備えるノート型コンピューターに関し、特にノート型コンピューター上に発光ダイオードを設置し、該発光ダイオードは音量の大小、リズムの強弱、さらには中央処理装置の作動温度の高低に従い輝度、点滅変化を生じる、サウンドイコライザーを備えるノート型コンピューターに関する。
【背景技術】
【０００２】
テクノロジーの進歩と発展に従い、ノート型コンピューターも大きな進歩を遂げてきた。
その進歩は、演算速度が速く、容量が大きくなっただけでなく、体積も大幅に縮小し、非常に軽くコンパクトで携帯に便利となった。
そして、さらに重要なのは、価格がリーズナブルになったことで、多くの人がノート型コンピューターを所有できるようになっていることである。
そのため、ノート型コンピューターは近年、デスクトップコンピューターに大きく取って代わるようになっている。
【０００３】
しかし現在、ノート型コンピューターのメーカーの多くは、より優れた音質をいかに表現するかに集中しているばかりで、消費者の使用における利便性をおろそかにしており、消費者の音と光の効果に対する要求に応えることも、忘れがちになっている。
現在のノート型コンピューターにおいて、使用者はノート型コンピューターの外観から現在の音量の大きさを知ることはできず、ボタンにより音量を調整すると同時に、スクリーン上の音量表示によってしか、音量を知ることはできない。
これでは、見た目が単調で面白みに欠け、しかも消費者は一目でその時の音量の大小を把握することができないため、起動、シャットダウン、或いはあるソフトウェアを執行する過程において、それが発するサウンドが突然大音量で発せられ、使用者或いは周囲の人を煩わすという状況がしばしば発生する。
【０００４】
特に、仮に使用者が、病院や図書館など常に静かにしなければならない場所にいる場合に、突然非常に大きな音で音楽或いは他の音声が発せられれば、周囲に驚かれるばかりでなく、他人の仕事や勉強の邪魔になってしまい、使用者にとっても深刻な困難となってしまう。
このような音声は、使用者が自分では予期できないものが多く、例えば、ネットショップのトップページでは広告ビデオが流される場合がある。
それらビデオは、そのサイトに入るとすぐに自動的に再生されるものであり、個人のブログなどでも、自分が気に入っている音楽のＭＰ３ファイルを設置しているものがあり、そのサイトに入れば、直ちに自動再生されてしまう。
すなわち、従来の製品では、音量の大小を一目で判断することができないことで、音量の調整を忘れてしまい、極めて大きなサウンドが突然発せられ、使用者と周囲の人の不便と面倒を招くという事態がしばしば発生している。
【０００５】
ところで、ノート型コンピューターの中央処理装置の性能は向上を続けているが、その作動温度もそれに従い上がっているという問題がある。
確かに、各種の放熱ファン及び放熱技術により、その温度の上昇を効果的に緩和し、受け入れ可能な一定の範囲内にコントロールすることはできるが、該各放熱装置の放熱性能も、使用時間が長くなるに連れて徐々に低下する。
例えば、放熱フィン、入/出風口、或いは放熱ファン上に、ホコリがたまれば、該放熱ファンの正常運転に影響を及ぼし、熱風を効果的に排出できない状況に陥ってしまう。
さらには、放熱ファンのベアリングの耐久性の問題で、放熱ファンが正常に作動できなくなる恐れもあり、これによって中央処理装置の作動温度を、正常な作動温度内にコントロールできなくなり、フリーズが発生する可能性もある。
【０００６】
これら状況に対処するには、使用者が定期的に清掃作業を行う他に、監視ソフトを用いて、該ノート型コンピューターの作動状況をモニタリングする方法がある。
しかし、現行の監視ソフトは、使用者が該監視ソフトを起動させなければ、関連するパーツのデータのモニタリング動作を行うことができない。
すなわち、上記したように受動的な起動であるため、使用者が即時にその状況を把握することは難しく、通常はノート型コンピューターの作動に異常な状況（例えば、執行速度が遅くなる、或いはフリーズする）が生じて初めて、監視ソフトを起動し、各パーツのモニタリングを行い、問題の所在を探るという状況である。
よって、タイミング的には遅すぎるということもあり、発病してから医者にかかるという状況であるため、健康診断を受けるような方式で、即時に異状を発見し、主体的に治療するなどの予防的効果を期待することはできない。
【先行技術文献】
【特許文献】
【０００７】
【特許文献１】特開２００３−９４０４号公報
【考案の概要】
【考案が解決しようとする課題】
【０００８】
本考案が解決しようとする第一の課題は、ノート型コンピューターの音量をノート型コンピューター上に直接表示することで、使用者は音量の大小を一目で知ることができ、適時に調整できるサウンドイコライザーを備えるノート型コンピューターを提供することである。
本考案が解決しようとする第二の課題は、音量の大小を表示できる多数の発光ダイオードは、音量の大小及び信号リズムの強弱に応じて、さまざまな変化を生じることができるサウンドイコライザーを備えるノート型コンピューターを提供することである。
本考案が解決しようとする第三の課題は、プログラマブルコントロールユニットによりＰＥＣＩインターフェースを通して中央処理装置の内部温度を読み取れ、さまざまな温度変化に応じて、ノート型コンピューター上の多数の発光ダイオードをコントロールし、さまざまな色の光を生じさせ、これにより使用者は中央処理装置の作動温度に異常が生じているか否かを便利に判断することができるサウンドイコライザーを備えるノート型コンピューターを提供することである。
【課題を解決するための手段】
【０００９】
上記課題を解決するため、本考案は下記のサウンドイコライザーを備えるノート型コンピューターを提供する。
サウンドイコライザーを備えるノート型コンピューターは、本体及びスクリーン蓋体からなり、該本体と該スクリーン蓋体は、開閉可能に連結し、
該本体はさらに、一般のノート型コンピューターが必要とするインプットユニット、アウトプットユニット、パワーサプライユニット、及びマザーボードを備え、
該インプットユニット、アウトプットユニット、パワーサプライユニットと該マザーボードとの間は電気的に接続し、
該マザーボード上には、少なくとも１個の中央処理装置を設置し、
本考案はさらに、システムオーディオインプットエンド、外部オーディオインプットエンド、サウンドデコーダ、アナログ信号スイッチ、電圧レギュレーター、プログラマブルコントロールユニット、発光ダイオードドライバー及び多数の発光ダイオードを備え、
該サウンドデコーダ、アナログ信号スイッチ、電圧レギュレーター、プログラマブルコントロールユニット及び発光ダイオードドライバーは、該マザーボード上に統合でき、或いは単独で独立した回路板上に設置し、該マザーボードとの間は電気的に接続し、
該多数の発光ダイオードは、左、右二組に分けて該本体上にそれぞれ設置し、該多数の発光ダイオードとダイオードドライバーとの間は、電気的に接続する。
【考案の効果】
【００１０】
本考案のサウンドイコライザーを備えるノート型コンピューターは、従来のノート型コンピューターの、コンピューター外部の表示により、音量の大小を示すことができないという問題を解決することができる。
本考案の構造を通して、音声の大きさ、中央処理装置の温度の高低を、本体表面上に設置する多数の発光ダイオードにより、さまざまな発光色、或いは点灯する発光ダイオードの個数の変化を利用し、その時の音量の大きさ及び中央処理装置の作動温度が正常か否かの情報を、使用者に一目で知らせることができる。
発光ダイオードは、オーディオリズムの強弱の変化に従い、光の変化を生じることによって、本考案の視覚と聴覚の感覚をより強化し、音と光の力強さと美しさを表現することができる。
【図面の簡単な説明】
【００１１】
【図１】本考案の立体外観模式図である。
【図２】本考案のブロックチャートである。
【考案を実施するための形態】
【００１２】
以下に図面を参照しながら本考案を実施するための最良の形態について詳細に説明する。
【実施例】
【００１３】
図１、２は、本考案の立体分解図、及びブロックチャートである。
【００１４】
本考案サウンドイコライザーを備えるノート型コンピューターは、本体1及びスクリーン蓋体2からなる。
【００１５】
該本体1と該スクリーン蓋体2は、開閉可能に連結する。
【００１６】
該本体1はさらに、一般のノート型コンピューターが必要とするインプットユニット11、アウトプットユニット12、パワーサプライユニット(図示なし)、及びマザーボード13を備える。
【００１７】
該インプットユニット11、該アウトプットユニット12、該パワーサプライユニットと該マザーボード13間は、電気的に接続し、該マザーボード13上には、少なくとも１個の中央処理装置131を設置する。
【００１８】
本考案はさらに、システムオーディオインプットエンド（Audio Input）3、外部オーディオインプットエンド31、サウンドデコーダ（Audio Codec）4、アナログ信号スイッチ（Analog Switch）5、ＰＷＭ電圧レギュレーター（ＰＷＭ Regulator）6、プログラマブルコントロールユニット（ＭＣＵ）7、発光ダイオードドライバー（ＬＥＤ Driver）8及び多数の発光ダイオード（ＬＥＤ）9を備える。
【００１９】
該サウンドデコーダ（Audio Codec）4、該アナログ信号スイッチ（Analog Switch）5、該ＰＷＭ電圧レギュレーター（PWM Regulator）6、該プログラマブルコントロールユニット（ＭＣＵ）7及び該発光ダイオードドライバー（LED Driver）8は、該マザーボード13上に統合し、或いは単独で独立した回路板上に設置し、該マザーボード13との間を電気的に接続する。
【００２０】
該システムオーディオインプットエンド（Audio Input）3、外部オーディオインプットエンド31と該マザーボードとの間も、電気的に接続する。
【００２１】
該多数の発光ダイオード（LED）9は、左、右二組を該本体1上にそれぞれ設置し、該多数の発光ダイオード（LED）9は、該発光ダイオードドライバー（LED Driver）8と電気的に接続する。
【００２２】
上記した構造において、該システムオーディオインプットエンド（Audio Input）3は、受信した音楽信号を、該サウンドデコーダ（Audio Codec）4に転送してデコードを行い、フロントオーディオの左、右チャンネル及びヘッドセットオーディオの左、右チャンネルを解析する。
【００２３】
該アナログ信号スイッチ（Analog Switch）5の主要機能は、アウトプットオーディオを、システムオーディオインプットエンド3のフロントオーディオ或いは外部オーディオインプットエンド31から選択することである。
【００２４】
一般の状態では、システムオーディオインプットエンド3のフロントオーディオを選択するが、外部オーディオインプットエンド31に接続する時にだけ、外部オーディオを選択する。
【００２５】
該フロントオーディオ或いは外部オーディオは、ＰＷＭ電圧レギュレーター（ＰＷＭ Regulator）6を通して、左、右チャンネルのオーディオを、それぞれ直流電圧レベルに転換後、プログラマブルコントロールユニット（ＭＣＵ）7に伝送する。
【００２６】
プログラマブルユニット（ＭＣＵ）7によって、受信した直流電圧レベル信号により、発光ダイオードドライバー（LED Driver）8を通して、左、右二組の発光ダイオード（LED）9をそれぞれ駆動し、輝度或いは色の変化を生じさせる。
【００２７】
前記の構造設計により、本考案は可聴周波数信号を直流電圧レベルに転換し、埋め込みコントローラーを運用し、発光ダイオードドライバー（LED Driver）8をコントロールする。
【００２８】
こうして、発光ダイオード（LED）9は、音楽信号リズムの強弱に従い、さまざまな変化を生じることができ、例えば、音声が大きくなれば、点灯する発光ダイオード（LED）9の個数も多くなり、反対に、音声が小さくなれば、点灯する発光ダイオード（LED）9の個数も少なくなる。
【００２９】
よって、使用者は、一切ボタンを押す必要なく、一目でその時の音量スイッチの大きさを明確に識別することができる。
【００３０】
コンピューターキーボードとスクリーンとの間に設置する発光ダイオード（LED）9も、再生する音楽のリズムの変化に従い転換する電圧信号により、光の変化を生じる。
【００３１】
こうして、使用者は音楽を聞きながら、音楽リズムの強度に従い生まれる該発光ダイオード（LED）9の光の変化を観賞することができる。
【００３２】
これにより、全体的な音と光の効果が相互に引き立ち、聴覚と視覚において、より優れ、より強烈で、しかも力強さと美しさを合わせた感覚を提供することができる。
【００３３】
本考案は上記した構造において、該プログラマブルコントロールユニット（ＭＣＵ）7はさらに、プラットホーム環境コントロールインターフェース（Platform
Environmental Control Interface；PECI） (図２参照)を通して、中央処理装置（ＣＰＵ）131の内部温度を読み取れる。
【００３４】
しかも、該プログラマブルコントロールユニット（ＭＣＵ）7は、それが探知する中央処理装置（ＣＰＵ）131の温度変化に従い、発光ダイオードドライバー（LED Driver）8を通して、左側の発光ダイオード（LED）9及び右側の発光ダイオード（LED）9の点灯するか否か、或いは色の変化をコントロールすることができる。
【００３５】
例えば、点灯する発光ダイオード（LED）9の数が多ければ、中央処理装置（CPU）131の温度がより高いことを示しており、該中央処理装置（CPU）131の温度が危険な区域まで上昇すると、該発光ダイオード（LED）9は、警告を示す赤色光に変化し、これにより使用者に注意を促す効果を達成する。
【００３６】
上記したように、本考案のサウンドイコライザーを備えるノート型コンピューターは、従来のノート型コンピューターの、コンピューター外部の表示により、音量の大小を示すことができないという問題を解決することができる。
本考案の設計を通して、音声の大きさ、中央処理装置の温度の高低を、本体表面上に設置した多数の発光ダイオードにより、さまざまな発光色、或いは点灯する発光ダイオードの個数の変化により、その時の音量の大きさ及び中央処理装置の作動温度が正常か否かの情報を、使用者に一目で知らせることができる。
しかも、発光ダイオードは、オーディオリズムの強弱の変化に従い、光の変化を生じるため、本考案の視覚と聴覚の感覚をより強化し、音と光の力強さと美しさを表現することができる。
【００３７】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００３８】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００３９】
1  本体
11  インプットユニット
12  アウトプットユニット
13  マザーボード
131  中央処理装置
2  スクリーン蓋体
3  システムオーディオインプットエンド
31  外部オーディオインプットエンド
4  サウンドデコーダ
5  アナログ信号スイッチ
6  PWM電圧レギュレーター
7  プログラマブルコントロールユニット
8  発光ダイオードドライバー
9  発光ダイオード
【図１】
0003185949.tif 000003
【図２】
0003185949.tif 000004